(57)【要約】【課題】原稿が有価物であると判定された時点から信号補正機能を各色毎の信号劣化機能に変更できるようにすると共に、偽造有価物による犯罪を未然に防止できるようにする。【解決手段】原稿の画像を読み取って複数の色信号を出力する画像読取部１１と、ここから出力される画像の各々の色信号の読取レベルを正常時用の信号変換テーブルに基づいて各々変換する信号変換部１２と、画像読取部から出力される複数の色信号を入力し、原稿が有価物であるか否かを判定する画像認識部１３と、この判定結果に対応して正常時用の信号変換テーブル又は異常時用の信号変換テーブルを信号変換部１２に設定するスキャン制御部１５とを備え、スキャン制御部１５は、原稿が有価物であると判定された時点から、正常時用の信号変換テーブルに代えて異常時用の信号変換テーブルを設定するものである。【選択図】  図１
2011199650.tif 000002
【特許請求の範囲】
【請求項１】
原稿の画像を読み取って複数の色信号を出力する画像読取部と、
前記画像読取部から出力される前記画像の各々の色信号の読取レベルを正常時用の信号変換テーブルに基づいて各々変換する信号変換部と、
前記画像読取部から出力される変換後の前記複数の色信号を入力し、前記原稿が有価物であるか否かを判定する画像認識部と、
前記画像認識部の判定結果に対応して正常時用の信号変換テーブル又は異常時用の信号変換テーブルを前記信号変換部に設定する制御部とを備え、
前記制御部は、
前記原稿が有価物であると判定された時点から、正常時用の信号変換テーブルに代えて異常時用の信号変換テーブルを設定することを特徴とする画像読取装置。
【請求項２】
前記制御部は、
前記原稿が有価物であると判定された時点から、異常時用の信号変換テーブルに基づいて当該原稿の画像の複数の色信号の読取レベルの一部を一定の出力値に変換するように前記信号変換部を制御することを特徴とする請求項１に記載の画像読取装置。
【請求項３】
前記制御部は、
原稿が有価物であると判定された時点から、前記信号変換部の各々の正常時用の信号変換テーブルを一斉に異常時用の信号変換テーブルに書き換えることを特徴とする請求項２に記載の画像読取装置。
【請求項４】
前記制御部は、
原稿が有価物であると判定された時点から、前記信号変換部の各々の正常時用の信号変換テーブルにおいて、各々異なる輝度階調部分の出力値を書き換えることを特徴とする請求項３に記載の画像読取装置。
【請求項５】
画像読取装置が、
原稿の画像を読み取って複数の色信号を生成するステップと、
生成された前記画像の色信号を正常時用の信号変換テーブルに基づいて変換すると共に、読み取られている前記原稿が有価物であるか否かを判定するステップと、
前記原稿が有価物であると判定された時点から、正常時用の信号変換テーブルに代えて異常時用の信号変換テーブルを設定するステップと、
設定された前記異常時用の信号変換テーブルに基づいて前記原稿の画像の複数の色信号を劣化させるステップとを実行することを特徴とする画像読取方法。
【請求項６】
原稿の画像を読み取って得られる複数の色信号の読取レベルを所定の信号変換テーブルに基づいて各々変換して出力する画像読取手段と、
前記画像読取手段から出力される変換後の複数の色信号に基づいて前記原稿の画像を用紙に形成する画像形成手段とを備え、
前記画像読取手段が、請求項１乃至４に記載のいずれかの画像読取装置から構成されることを特徴とする画像形成装置。
【発明の詳細な説明】
【技術分野】
【０００１】
この発明は、原稿の画像を読み取ってガンマ補正等の信号変換処理をし、信号変換後のカラー画像再生用の画像信号を出力するスキャン装置を備えたカラー用の複写機や、複合機等に適用可能な画像読取装置、画像読取方法及び画像形成装置に関するものである。
【背景技術】
【０００２】
近年、原稿の画像を読み取ってカラー画像再生用の画像信号を出力するスキャン機能を備えたカラー用の複写機や、複合機が使用される場合が多くなってきた。カラー複写機の中には、色再現性が良く、原稿と出力物の見分けがつきにくい程の性能を有するものがあり、紙幣や有価証券等の有価物を複写して悪用される危険性も高くなってきている。この危険性を回避するために、紙幣や有価証券等を有価物として使用できない状態で読み取る機能が考案されている。
【０００３】
この種の機能に関連して特許文献１には、画像読取装置及び画像形成装置が開示されている。この画像読取装置によれば、各色毎に読み込み系のルックアップテーブル及び、読み取っている原稿が有価物であるか否かを判定する判定部を備える。この判定部は、読み取っている原稿が有価物であると判定した場合に、少なくとも、一つの読み込み系ルックアップテーブル、例えば、緑信号の読取レベルを一定値に固定したり、画像形成開始位置をシフトするようになされる。このように装置を構成すると、色変換後の画像データに基づいてカラー画像を出力した場合、マゼンタ色がかった画像を用紙に形成して出力でき、しかも、文字等の輪郭線をずれて再生できるというものである。
【先行技術文献】
【特許文献】
【０００４】
【特許文献１】特開２００４−３５６８６５号公報（第７頁  図４）
【発明の概要】
【発明が解決しようとする課題】
【０００５】
ところで、従来例に係る画像形成装置によれば、特許文献１に見られるように、紙幣や有価証券等の有価物の画像形成処理を防止する機能を備える場合が多くなってきた。しかし、次のような問題がある。
【０００６】
ｉ．この種の画像形成装置において、画像読取装置から得られた画像データを外部装置に転送する機能が採用されてきている。このため、画像読取装置で読み取られた原稿の画像データがそのまま外部装置に転送され、紙幣や証券等の有価物の画像データが何らの信号変換もされずにプリンタ等に出力されてしまう危険性があった。これにより、画像形成装置内で、有価物の画像形成処理を防止できても、画像形成防止機能の無いプリンタ等で有価物の不正複写が可能となってしまうという問題がある。
【０００７】
ii．有価物読取時、全色の画像データを異常状態にすること無しに、一つの色用のルックアップテーブルのみを書き換える機能を採用した場合、それ以外の色は、正常時と同じ画像データが取得できてしまうため、一色の画像データを復元することで、容易に、正常読み込み時の画像データを取得（変換）できてしまうという問題がある。
【０００８】
iii．また、有価物読取時、各色用のルックアップテーブルを一斉に書き換える機能を採用した場合、画像読取装置の読み込み特性が向上し、読み込み階調数も８ビット（０〜２５５階調）から、０〜５１２階調（９ビット）や、０〜１０２４階調等と向上してきたため、全ての入力値を書き換えるには、その書き換え時間が増加するという問題がある。
【０００９】
iv．更に、読み取られた画像データをログ等に記憶する場合であって、当該画像データの概要を残す機能を併用する場合、シフトされた画像形成開始位置を元の位置に戻すような手段が無いと、後日、ログ等に記憶された画像データから、原画像の原型を把握することができず、有価物の画像を取得したのか否か全く分からない状態に陥ってしまうという問題がある。
【００１０】
ｖ．紙幣や有価証券等の有価物の正常時の画像データを何らの劣化処理を施さずにそのままメモリ部へ記憶していると、後日、当該画像データを復元されるおそれがある。
【００１１】
そこで、この発明は上述した課題を解決したものであって、原稿が有価物であると判定された時点から信号補正機能を各色毎の信号劣化機能に変更できるようにすると共に、偽造有価物による犯罪を未然に防止できるようにした画像読取装置、画像読取方法及び画像形成装置を提供することを目的とする。
【課題を解決するための手段】
【００１２】
上記課題を解決するため、請求項１に記載の画像読取装置は、原稿の画像を読み取って複数の色信号を出力する画像読取部と、前記画像読取部から出力される前記画像の各々の色信号の読取レベルを正常時用の信号変換テーブルに基づいて各々変換する信号変換部と、前記画像読取部から出力される変換後の前記複数の色信号を入力し、前記原稿が有価物であるか否かを判定する画像認識部と、前記画像認識部の判定結果に対応して正常時用の信号変換テーブル又は異常時用の信号変換テーブルを前記信号変換部に設定する制御部とを備え、前記制御部は、前記原稿が有価物であると判定された時点から、正常時用の信号変換テーブルに代えて異常時用の信号変換テーブルを設定することを特徴とするものである。
【００１３】
請求項１に記載の画像読取装置によれば、画像読取部は、原稿の画像を読み取って複数の色信号を出力する。信号変換部は、画像読取部から出力される画像の各々の色信号の読取レベルを正常時用の信号変換テーブルに基づいて各々変換する。画像認識部は、画像読取部から出力される変換後の複数の色信号を入力し、原稿が有価物であるか否かを判定する。制御部は、画像認識部の判定結果に対応して正常時用の信号変換テーブル又は異常時用の信号変換テーブルを信号変換部に設定する。これを前提にして、制御部は、原稿が有価物であると判定された時点から、正常時用の信号変換テーブルに代えて異常時用の信号変換テーブルを設定するようになる。
【００１４】
この設定によって、原稿が有価物であると判定された時点から信号変換部の信号補正機能を各色毎の信号劣化機能に変更することができ、異常時用の信号変換テーブルに基づいて当該原稿の画像の複数の色信号を劣化させることができる。
【００１５】
請求項２に記載の画像読取装置は、請求項１において、前記制御部は、前記原稿が有価物であると判定された時点から、異常時用の信号変換テーブルに基づいて当該原稿の画像の複数の色信号の読取レベルの一部を一定の出力値に変換するように前記信号変換部を制御することを特徴とするものである。
【００１６】
請求項３に記載の画像読取装置は、請求項２において、前記制御部は、原稿が有価物であると判定された時点から、前記信号変換部の各々の正常時用の信号変換テーブルを一斉に異常時用の信号変換テーブルに書き換えることを特徴とするものである。
【００１７】
請求項４に記載の画像読取装置は、請求項３において、前記制御部は、原稿が有価物であると判定された時点から、前記信号変換部の各々の正常時用の信号変換テーブルにおいて、各々異なる輝度階調部分の出力値を書き換えることを特徴とするものである。
【００１８】
請求項５に記載の画像読取方法は、画像読取装置が、原稿の画像を読み取って複数の色信号を生成するステップと、生成された前記画像の色信号を正常時用の信号変換テーブルに基づいて変換すると共に、読み取られている前記原稿が有価物であるか否かを判定するステップと、前記原稿が有価物であると判定された時点から、正常時用の信号変換テーブルに代えて異常時用の信号変換テーブルを設定するステップと、設定された前記異常時用の信号変換テーブルに基づいて前記原稿の画像の複数の色信号を劣化させるステップとを実行することを特徴とするものである。
【００１９】
請求項６に記載の画像形成装置は、原稿の画像を読み取って得られる複数の色信号の読取レベルを所定の信号変換テーブルに基づいて各々変換して出力する画像読取手段と、前記画像読取手段から出力される変換後の複数の色信号に基づいて前記原稿の画像を用紙に形成する画像形成手段とを備え、前記画像読取手段が、請求項１乃至４に記載のいずれかの画像読取装置から構成されることを特徴とするものである。
【発明の効果】
【００２０】
請求項１に記載の画像読取装置及び請求項５に記載の画像読取方法によれば、原稿が有価物であるか否かに対応して、正常時用の信号変換テーブル又は異常時用の信号変換テーブルを信号変換部に設定する制御部を備え、制御部は、原稿が有価物であると判定された時点から、正常時用の信号変換テーブルに代えて異常時用の信号変換テーブルを設定するものである。
【００２１】
この構成によって、原稿が有価物であると判定された時点から信号変換部の信号補正機能を各色毎の信号劣化機能に変更することができ、異常時用の信号変換テーブルに基づいて当該原稿の画像の複数の色信号を劣化させることができる。しかも、有価物が読み取られたとしても、当該劣化した色信号を利用したプリント出力時、原稿画像の原型は分かるが、真性有価物の色調と複製物の色調とを見比べると、全く色調が異なり、一目で、複製物と分かるように、容易に複製利用できない状態で、原稿の画像を読み込ませることができる。これにより、偽造有価物による犯罪を未然に防止できるようになる。
【００２２】
請求項２に記載の画像読取装置によれば、原稿が有価物であると判定された時点から、異常時用の信号変換テーブルに基づいて当該原稿の画像の複数の色信号の読取レベルの一部を一定の出力値に変換するので、容易に複製利用できない状態の読取レベルの複数の色信号を出力することができる。
【００２３】
請求項３に記載の画像読取装置によれば、原稿が有価物であると判定された時点から、各々の正常時用の信号変換テーブルを一斉に異常時用の信号変換テーブルに書き換えるので、容易に複製利用できない状態の読取レベルの複数の色信号を出力することができる。
【００２４】
請求項４に記載の画像読取装置によれば、原稿が有価物であると判定された時点から、各々の正常時用の信号変換テーブルにおいて、各々異なる輝度階調部分の出力値を書き換えるので、容易に複製利用できない状態の読取レベルの複数の色信号を出力することができる。
【００２５】
請求項６に記載の画像形成装置によれば、本発明に係る画像読取装置が備えられるので、有価物であると判定された時点から信号補正機能を各色毎の信号劣化機能に変更することができ、異常時用の信号変換テーブルに基づいて当該原稿の画像の複数の色信号を劣化させることができる。しかも、有価物が読み取られたとしても、容易に複製利用できない状態の劣化した色信号に基づくプリントを出力できるので、原稿画像の原型は分かるが、真性有価物の色調と複製物の色調とを見比べると、全く色調が異なり、一目で、複製物と分かるようになる。これにより、偽造有価物による犯罪を未然に防止できるようになる。
【図面の簡単な説明】
【００２６】
【図１】本発明に係る第１の実施形態としての画像読取装置１０１の構成例を示すブロック図である。
【図２】γ補正テーブル用のＲＡＭ＃１の構成例を示すブロック図である。
【図３】（Ａ）〜（Ｃ）はγ補正テーブルの書き換え例を示すグラフ図である。
【図４】（Ａ）及び（Ｂ）は有価物及び、その複写例を示す説明図である。
【図５】画像読取装置１０１の動作例を示すフローチャートである。
【図６】第２の実施形態としての画像読取装置１０２の構成例を示すブロック図である。
【図７】第３の実施形態としての画像読取装置１０３のγ補正テーブル構築用のＲＡＭ＃１３の構成例を示すブロック図である。
【図８】第４の実施形態としての画像読取装置１０４のγ補正テーブル構築用のＲＡＭ＃１４の構成例を示すブロック図である。
【図９】本発明に係る第５の実施形態としてのカラー複写機２００の構成例を示すブロック図である。
【図１０】カラー複写機２００の動作例（その１）を示すフローチャートである。
【図１１】カラー複写機２００の動作例（その２）を示すフローチャートである。
【発明を実施するための形態】
【００２７】
以下、図面を参照しながら、この発明の実施形態に係る画像読取装置、画像読取方法及び画像形成装置について説明をする。
【００２８】
＜第１の実施形態＞
図１に示す第１の実施形態としての画像読取装置１０１は、各色毎にルックアップテーブル書き換え機能を有しており、原稿の画像を読み取って得られる複数の色信号をガンマ（γ）補正して出力する。ここにガンマ補正とは、カラー画像の色信号と、それが実際に出力される際の色信号との相対関係を調節して、より自然に近い表示色を得るための補正動作をいう。
【００２９】
画像読取装置１０１は、例えば、画像読取部１１、信号変換部１２、画像認識部１３、有価物辞書部１４、スキャン制御部１５、γ補正テーブル用のデータ格納部１６を有して構成される。画像読取部１１は、任意の原稿の画像を読み取って複数の色信号を出力するものである。
【００３０】
画像読取部１１は、光源、ＣＣＤ（Charge Coupled Device）、Ａ／Ｄ変換器等により構成され、光源から原稿へ照明走査した光の反射光を結像して光電変換する。これにより得られる、原稿の画像を赤色成分の信号（以下Red信号という）、緑色成分の信号（以下Green信号という）、青色成分の信号（以下Blue信号という）として読み取り、読み取った画像をアナログ・ディジタル変換（以下Ａ／Ｄ変換という）して信号変換部１２に出力する。画像は、図形や写真等のイメージデータに限らず、文字や記号等のテキストデータ等も含む。
【００３１】
画像読取部１１には信号変換部１２及び画像認識部１３が接続される。信号変換部１２は、画像読取部１１から出力される画像のRed信号、Green信号及びBlue信号の各々の読取レベルをγ補正するために、信号変換テーブルの一例となる正常時用のγ補正テーブルに基づいて各々の信号の読取レベルを変換する。信号変換部１２は、例えば、３つのγ補正テーブル構築用のＲＡＭ＃１〜＃３を有して構成されている。
【００３２】
ＲＡＭ＃１にはRed信号をγ補正するためのルックアップテーブル（以下ＬＵＴｒテーブルという）が展開（構築）される。ＲＡＭ＃１では、Red信号の読取レベルがＬＵＴｒテーブルに基づいて輝度レベルから明度レベルに変換される。
【００３３】
ＲＡＭ＃２にはGreen信号をγ補正するためのルックアップテーブル（以下ＬＵＴｇテーブルという）が構築される。ＲＡＭ＃２では、Green信号の読取レベルがＬＵＴｇテーブルに基づいて輝度レベルから明度レベルに変換される。
【００３４】
ＲＡＭ＃３にはBlue信号をγ補正するためのルックアップテーブル（以下ＬＵＴｂテーブルという）が構築される。ＲＡＭ＃３では、Blue信号の読取レベルがＬＵＴｂテーブルに基づいて輝度レベルから明度レベルに変換される。以下で、テーブル変換後の明度レベルの赤信号をＳｒで示し、テーブル変換後の明度レベルの緑信号をＳｇで示し、テーブル変換後の明度レベルの青信号をＳｂで示す。
【００３５】
画像認識部１３は画像読取部１１の読み取り動作と並行して、画像読取部１１から出力されるRed信号、Green信号及びBlue信号を入力し、画像読取部１１から読み取られた画像を解析し、読み取られている原稿の画像が有価物であるか否かを判定する。画像認識部１３には、例えば、中央演算装置（Central Processing Unit：以下ＣＰＵという）や、ディジタル信号処理装置（Digital Signal Processor：以下ＤＳＰという）が使用される。
【００３６】
信号変換部１２にはメモリ部２０が接続される。メモリ部２０には、原稿が有価物以外である場合は、γ補正後の正常値の赤信号Ｓｒ，緑信号Ｓｇ，青信号Ｓｂが記憶される。メモリ部２０には磁気ディスク記憶装置が使用される。なお、原稿が有価物であることが判別された場合は、その判別時点から、劣化後の異常値の赤信号Ｒｘ，緑信号Ｇｘ，青信号Ｂｘが記憶される。
【００３７】
画像認識部１３には有価物辞書部１４が接続される。有価物辞書部１４には、有価物を判定するために使用される有価物辞書データＤ１４が格納される。有価物は紙幣、印紙、証券、金券等である。有価物辞書データＤ１４は、紙幣、印紙、証券、金券等の有価物の特徴量を示すデータである。有価物辞書部１４にはフラッシュメモリや、磁気ディスク記憶装置等の不揮発メモリが使用される。
【００３８】
上述の画像認識部１３ではパターン認識等により、原稿の画像と有価物辞書データＤ１４に基づく画像とが比較され、両者の相関が採られ、両者の一致又は不一致を示す結果として、有価物読取信号Ｓ１３（エラー通知信号）を発生する。有価物読取信号Ｓ１３は、エラーを通知するためにスキャン制御部１５に出力される。
【００３９】
画像認識部１３は、有価物を読み込んでいる場合は、ハイ・レベルの有価物読取信号Ｓ１３を発生し、有価物以外の原稿を読み込んでいる場合は、ロー・レベルの有価物読取信号Ｓ１３を発生する。有価物読取信号Ｓ１３は、例えば、有価物を読み込んでいると判別された時点で、ロー・レベルからハイ・レベルに立ち上がる。これにより、画像認識部１３で原稿の画像が有価物であるか否かを判定することができる。
【００４０】
画像認識部１３にはスキャン制御部１５が接続される。スキャン制御部１５にはデータ格納部１６が接続され、γ補正テーブル構築用のＬＵＴデータＤｒ，Ｄｇ，Ｄｂが格納される。ＬＵＴデータＤｒは、正常時用のＬＵＴｒテーブルをＲＡＭ＃１に構築するためのデータである。
【００４１】
ＬＵＴデータＤｇは、正常時用のＬＵＴｇテーブルをＲＡＭ＃２に構築するためのデータである。ＬＵＴデータＤｂは、正常時用のＬＵＴｂテーブルをＲＡＭ＃３に構築するためのデータである。上述のＬＵＴデータＤｒ，Ｄｇ，Ｄｂは、例えば、画像の明るさの変化に対する電圧換算値の変化の比が１に近づくようなルックアップテーブルの構築に必要な値である。
【００４２】
データ格納部１６には、正常時用のＬＵＴｒ，ＬＵＴｇ，ＬＵＴｂテーブルを構築するためのＬＵＴデータＤｒ，Ｄｇ，Ｄｂの他に、異常時用のγ補正テーブルを構築するためのＬＵＴデータＸｒ，Ｘｇ，Ｘｂが格納される。ＬＵＴデータＸｒは、異常時用のＬＵＴｒ’テーブルをＲＡＭ＃１に構築するためのデータであり、例えば、正常時用のＬＵＴｒテーブルの入力値に対して、その読取レベル０〜１２７階調の出力値を全て「０」で上書きするためのデータである。ここに上書きとは、一度、ＲＡＭ＃１等のメモリに書き込んだデータを書き直す処理をいう。
【００４３】
ＬＵＴデータＸｇは、異常時用のＬＵＴｇ’テーブルをＲＡＭ＃２に構築するためのデータであり、例えば、正常時用のＬＵＴｇテーブルの入力値に対して、その読取レベル８６〜２１３階調の出力値を「０」で上書きするためのデータである。ＬＵＴデータＸｂは、異常時用のＬＵＴｂ’テーブルをＲＡＭ＃３に構築するためのデータであり、例えば、正常時用のＬＵＴｂテーブルの入力値に対して、その読取レベル１２８〜２５５階調の出力値を「０」で上書きするためのデータである。
【００４４】
上述のスキャン制御部１５は、画像認識部１３の判定結果に対応して正常時用のγ補正テーブル又は異常時用のγ補正テーブルを信号変換部１２に設定する。スキャン制御部１５にはＣＰＵが使用される。スキャン制御部１５では、初期設定において、正常時用のγ補正テーブルが設定されており、原稿が有価物であると判定された時点から、正常時用のγ補正テーブルに代えて異常時用のγ補正テーブルを設定する。
【００４５】
例えば、スキャン制御部１５は、画像認識部１３から、所定レベルの有価物読取信号Ｓ１３を入力し、有価物読取信号Ｓ１３がロー・レベルからハイ・レベルに立ち上がると、上書き許可信号Ｓ１５を発生する。スキャン制御部１５は、上書き許可信号Ｓ１５を信号変換部１２に出力し、原稿が有価物であると判定された時点から、異常時用のγ補正テーブルに基づいて当該原稿の画像の複数の色信号の読取レベルの一部を一定の出力値に変換するように信号変換部１２を制御する（ルックアップテーブル書き換え機能）。
【００４６】
このように信号変換部１２を制御すると、原稿が有価物であると判定された時点から、異常時用のγ補正テーブルに基づいて当該原稿の画像の複数の色信号の読取レベルの一部を一定の出力値に変換するようになるので、容易に複製利用できない状態の読取レベルの赤信号Ｒｘ，緑信号Ｇｘ，青信号Ｂｘを出力できるようになる。
【００４７】
続いて、図２を参照して、γ補正テーブル構築用のＲＡＭ＃１の構成例について説明する。図２に示すγ補正テーブル構築用のＲＡＭ＃１によれば、アドレス入力部１７、ＬＵＴ設定部１８、データ出力部１９及びメモリセルアレイ２４を有して構成される。メモリセルアレイ２４は所定の本数のビット線及びアドレス線を有している。
【００４８】
アドレス入力部１７は図１に示した画像読取部１１に接続され、画像読取部１１からディジタルの、例えば８ビットのRed信号を入力する。アドレス入力部１７にはメモリセルアレイ２４が接続される。Red信号は、メモリセルアレイ２４のアドレス線に供給される。
【００４９】
メモリセルアレイ２４にはＬＵＴ設定部１８が接続される。ＬＵＴ設定部１８には図１に示したスキャン制御部１５を介してデータ格納部１６が接続され、ＬＵＴデータＤｒが設定される。ＬＵＴデータＤｒは、ビット線に供給される。メモリセルアレイ２４には、ＬＵＴデータＤｒに基づいてＬＵＴｒテーブルが展開（初期及び正常時）される。ＬＵＴｒテーブル（正常ＬＵＴ）は、有価物読取時、上書き許可信号Ｓ１５に基づいて異常時用のＬＵＴｒ’テーブル（異常ＬＵＴ）に上書きされる。
【００５０】
メモリセルアレイ２４にはデータ出力部１９が接続される。データ出力部１９は画像読取時、γ補正後の読取レベルの８ビットの赤信号Ｓｒ（正常値）を出力する。データ出力部１９は有価物読取時、劣化後の読取レベルの８ビットの赤信号Ｒｘ（異常値）を出力する。なお、他の色信号のγ補正テーブル構築用のＲＡＭ＃２，＃３についても同様に構成され、同様に機能するので、その説明を省略する。
【００５１】
続いて、図３Ａ〜Ｃを参照して、各色信号のγ補正テーブルの書き換え例について説明する。図３Ａに示すＬＵＴｒテーブルは、正常時に図１に示したＲＡＭ＃１に構築される。図３Ａにおいて、横軸は、８ビットのRed信号の入力値であり、その輝度レベルが０〜２５５階調である。縦軸は８ビットの赤信号Ｓｒの出力値（正常値）であり、その明度レベルが０〜２５５階調である。実線はＬＵＴｒテーブル特性（一次関数）である。正常時、Red信号の読取レベルは、ＬＵＴｒテーブルに基づいて輝度レベルから最適な明度レベルに変換される。
【００５２】
有価物読取時には、図中左側のＬＵＴｒテーブルがＬＵＴデータＸｒ及び上書き許可信号Ｓ１５に基づいて、同図右側の異常時用のＬＵＴｒ’テーブルに上書きされる。ＬＵＴｒ’テーブルによれば、正常時の実線に示したＬＵＴｒテーブル特性に比べて階段斜め状を有している。この例では、異常時、Red信号の入力値の０〜１２７階調に対して、その出力値（異常値）を全て「０」で読み出される。
【００５３】
なお、Red信号の入力値１２８階調以降は、正常値が読み出される。１２８階調以降、正常値を読み出るようにしたのは、有価物の輪郭線を残すためである。これにより、有価物読取時、ＬＵＴｒ’テーブルに基づいてRed信号の読取時の輝度レベルを、劣化した明度レベルに変換できるようになる。
【００５４】
図３Ｂに示すＬＵＴｇテーブルは、正常時に図１に示したＲＡＭ＃２に構築される。図３Ｂにおいて、横軸は、８ビットのGreen信号の入力値であり、その輝度レベルが０〜２５５階調である。縦軸は８ビットの緑信号Ｓｇの出力値（正常値）であり、その明度レベルが０〜２５５階調である。実線はＬＵＴｇテーブル特性（一次関数）である。正常時、Green信号の読取レベルは、ＬＵＴｇテーブルに基づいて輝度レベルから最適な明度レベルに変換される。
【００５５】
有価物読取時には、図中左側のＬＵＴｇテーブルがＬＵＴデータＸｇ及び上書き許可信号Ｓ１５に基づいて、同図右側の異常時用のＬＵＴｇ’テーブルに上書きされる。ＬＵＴｇ’テーブルによれば、正常時の実線に示したＬＵＴｇテーブル特性に比べて斜め凹状を有している。この例では、異常時、Green信号の入力値の８６〜２１３階調に対して、その出力値（異常値）を全て「０」で読み出される。
【００５６】
なお、Green信号の入力値８５階調以前及び、その入力値２１４階調以降は、正常値が読み出される。このように、８５階調以前及び２１４階調以降、正常値を読み出るようにしたのは、有価物の輪郭線を残すためである。これにより、有価物読取時、ＬＵＴｇ’テーブルに基づいてGreen信号の読取時の輝度レベルを、劣化した明度レベルに変換できるようになる。
【００５７】
図３Ｃに示すＬＵＴｂテーブルは、正常時に図１に示したＲＡＭ＃３に構築される。図３Ｃにおいて、横軸は、８ビットのBlue信号の入力値であり、その輝度レベルが０〜２５５階調である。縦軸は８ビットの青信号Ｓｂの出力値（正常値）であり、その明度レベルが０〜２５５階調である。実線はＬＵＴｂテーブル特性（一次関数）である。正常時、Blue信号の読取レベルは、ＬＵＴｂテーブルに基づいて輝度レベルから最適な明度レベルに変換される。
【００５８】
有価物読取時には、図中左側のＬＵＴｂテーブルがＬＵＴデータＸｂ及び上書き許可信号Ｓ１５に基づいて、同図右側の異常時用のＬＵＴｂ’テーブルに上書きされる。ＬＵＴｂ’テーブルによれば、正常時の実線に示したＬＵＴｂテーブル特性に比べて斜め段差状を有している。この例では、異常時、Blue信号の入力値の１２８階調以降に対して、その出力値（異常値）を全て「０」で読み出される。
【００５９】
なお、Blue信号の入力値１２７階調以前は、正常値が読み出される。１２７階調以前、正常値を読み出るようにしたのは、有価物の輪郭線を残すためである。これにより、有価物読取時、ＬＵＴｂ’テーブルに基づいてBlue信号の読取時の輝度レベルを、劣化した明度レベルに変換できるようになる。
【００６０】
続いて、図４及び図５を参照して、画像読取装置１０１の動作例について説明する。この例で、有価物１には、例えば、図４Ａに示すように星形の赤色のキャラクターＣ１、緑色のキャラクターＣ２、青色のキャラクターＣ３、白抜きのキャラクターＣ４、丸形の青色のキャラクターＣ５、四角形の紫色のキャラクターＣ６、三角形の緑色のキャラクターＣ７及び、丸形の赤色のキャラクターＣ８が形成されている場合である。
【００６１】
また、赤色用のＬＵＴｒテーブルについては、正常時用の読み込みパラメータとして入力値＝出力値となるＬＵＴデータＤｒをＲＡＭ＃１に設定し、緑色用のＬＵＴｇテーブルについては、正常時用の読み込みパラメータとして入力値＝出力値となるＬＵＴデータＤｇをＲＡＭ＃２に設定し、青色用のＬＵＴｂテーブルについては、正常時用の読み込みパラメータとして入力値＝出力値となるＬＵＴデータＤｂをＲＡＭ＃３に設定する場合について説明する。更に、この例では、有価物１の全体を走査せずとも、走査の途中で、現在走査中の原稿が有価物１であるか否かの判別機能を備えていることを前提としている。
【００６２】
これらを有価物１や、それ以外の原稿等の読取条件にして、図５に示すステップＳＴ１でスキャン制御部１５は、ルックアップテーブルを初期化するために、信号変換部１２に正常時用の読み込みパラメータをセットする。このとき、スキャン制御部１５はＲＡＭ＃１にＬＵＴデータＤｒを設定してＬＵＴｒテーブルを構築（展開）し、ＲＡＭ＃２にＬＵＴデータＤｇを設定してＬＵＴｇテーブルを構築し、ＲＡＭ＃３にＬＵＴデータＤｂを設定してＬＵＴｂテーブルを構築する。
【００６３】
その後、ユーザが有価物１を画像読取装置１０１にセットして、図示しない読み込みスタートキーを押下した場合を想定すると、ステップＳＴ２でスキャン制御部１５は、スキャン動作を開始するように画像読取部１１を制御する。
【００６４】
このとき、図１に示した画像読取部１１はインデックス（ＩＮＤＥＸ）信号に基づいて原稿の画像の読み取りを開始し、ＣＣＤはRed信号、Green信号及びBlue信号を生成する。画像読取部１１は、例えば、図示しない主走査領域信号（ＨＶ）、副走査領域信号（ＶＶ）及びクロック信号（ＣＬＫ）に同期して、図４Ａに示す有価物１の上部左側から右側へ主走査し、順次、下方へ副走査する。原稿の画像を読み取って得られるRed信号、Green信号及びBlue信号は、ＡＤ変換後、画像読取部１１から信号変換部１２へ出力される。
【００６５】
信号変換部１２では、画像読取部１１から出力される原稿画像のRed信号の輝度レベルが正常時用のＬＵＴｒテーブルに基づいてその明度レベルに変換され、そのGreen信号の輝度レベルが正常時用のＬＵＴｇテーブルに基づいてその明度レベルに変換され、そのBlue信号の輝度レベルが正常時用のＬＵＴｂテーブルに基づいてその明度レベルに変換される。
【００６６】
読取レベル変換後のディジタルの赤信号Ｓｒ、緑信号Ｓｇ及び青信号Ｓｂ（以下単に画像データ（Ｓｒ，Ｓｇ，Ｓｂ）ともいう）はメモリ部２０に出力される。画像データ（Ｓｒ，Ｓｇ，Ｓｂ）は、例えば、所定のデータフォーマットに基づいてヘッダ情報と共にパケット化される。ヘッダ情報には、原稿の最後を示すエンド・オフ・フラグ（以下でＥＯＦデータともいう）等が記述される。
【００６７】
ステップＳＴ３で、スキャン制御部１５は、現在読み込んでいる原稿が有価物１であるか否かを判別するように画像認識部１３を制御する。このとき、画像認識部１３は、有価物辞書部１４から有価物辞書データＤ１４を読み出し、当該有価物辞書データＤ１４と画像読取部１１から入力したＡＤ変換後のRed信号、Green信号及びBlue信号を比較して、現在読み込んでいる原稿が有価物１であるか否かの判別をリアルタイムに実行する。
【００６８】
例えば、画像認識部１３では、正常時用のＬＵＴｒ，ＬＵＴｇ，ＬＵＴｂテーブルに基づくパターン認識等により読取レベル変換された原稿のＡＤ変換後のRed信号、Green信号及びBlue信号と、有価物辞書データＤ１４に基づく有価物１を示す画像とが比較され、両者の相関が採られる。
【００６９】
この例では、画像認識部１３において、走査開始時点では、当該原稿が有価物１であるとする特徴量の未検出状態が続くために、有価物１以外の原稿を読み込んでいる場合と同様なロー・レベルの有価物読取信号Ｓ１３を発生する。メモリ部２０には、原稿が有価物１以外であると判断されている場合は、γ補正後の正常値の赤信号Ｓｒ、緑信号Ｓｇ、青信号Ｓｂが記憶される。
【００７０】
しかし、図４Ｂに示すように走査が進むに従い、画像認識部１３が原稿のＡＤ変換後のRed信号、Green信号及びBlue信号と、有価物１を示す画像との一致又は不一致を示す結果として、「原稿が有価物１である」とする特徴量を検出すると、ハイ・レベルの有価物読取信号Ｓ１３を発生する。有価物読取信号Ｓ１３は、エラーを通知するためにスキャン制御部１５に出力される。
【００７１】
エラー通知を入力したスキャン制御部１５はステップＳＴ４で、異常時用のＬＵＴｒ’，ＬＵＴｇ’，ＬＵＴｂ’テーブルをセットする。例えば、８ビット入力→８ビット出力のルックアップテーブルの場合、入力値０〜２５５に対して、その出力値を０〜２５５のどれかの値をセットする。
【００７２】
このとき、スキャン制御部１５は、上述の原稿が有価物１であると判定された時点から、図３Ａに示したような正常時用のＬＵＴｒテーブルに代えて、異常時用のＬＵＴｒ’テーブルをＲＡＭ＃１に設定し、図３Ｂに示したような正常時用のＬＵＴｇテーブルに代えて、異常時用のＬＵＴｇテーブルをＲＡＭ＃２に設定し、図３Ｃに示したような正常時用のＬＵＴｂテーブルに代えて、異常時用のＬＵＴｂ’テーブルをＲＡＭ＃３に設定する。
【００７３】
つまり、スキャン制御部１５は、有価物１と判断されている期間中、ＬＵＴｒ，ＬＵＴｇ，ＬＵＴｂテーブルの出力を正常時用の読み込みパラメータ利用時と一致しない値（異常値）に設定するように信号変換部１２を制御する。図３Ａに示したＬＵＴｒ’テーブルによれば、異常時、Red信号の入力値の０〜１２７階調に対して、その出力値（異常値）を全て「０」で読み出される。
【００７４】
また、図３Ｂに示したＬＵＴｇ’テーブルでは、異常時、Green信号の入力値の８６〜２１３階調に対して、その出力値（異常値）を全て「０」で読み出される。図３Ｃに示したＬＵＴｂテーブルによれば、異常時、Blue信号の入力値の１２８階調以降に対して、その出力値（異常値）を全て「０」で読み出される。なお、Red信号の入力値１２８階調以降は、正常値が読み出される。Green信号の入力値８５階調以前及び、その入力値２１４階調以降は、正常値が読み出される。Blue信号の入力値１２７階調以前は、正常値が読み出される。
【００７５】
これにより、異常時用のＬＵＴｒ’テーブルに基づいて原稿の画像の赤信号Ｓｒを劣化後の赤信号Ｒｘに変更でき、異常時用のＬＵＴｇ’テーブルに基づいて原稿の画像の緑信号Ｓｇを劣化後の緑信号Ｇｘに変更でき、異常時用のＬＵＴｂ’テーブルに基づいて原稿の画像の青信号Ｓｂを劣化後の青信号Ｂｘに変更できるようになる。
【００７６】
上述のステップＳＴ３で、正常時用のＬＵＴｒテーブルに基づいて現在読み込んでいる原稿が有価物１でないと判別された場合（正常読み込み動作）、ステップＳＴ５でスキャン制御部１５は、当該原稿の１ページ（図中では単に当該ページという）のスキャン動作を終了したか否かを判別する。当該原稿の１ページのスキャン動作を終了していない場合は、ステップＳＴ３に戻る。当該原稿の１ページのスキャン動作を終了した場合は、ステップＳＴ６に移行する。
【００７７】
ステップＳＴ６でスキャン制御部１５は、次の原稿が有価物１であるか否かが未定であるので、ルックアップテーブルを初期化する。このとき、スキャン制御部１５は、異常時用のＬＵＴｒ’テーブルに代えて、正常時用のＬＵＴｒテーブルを上書きするように、ＬＵＴデータＤｒをＲＡＭ＃１に設定する。
【００７８】
同様にして、異常時用のＬＵＴｇテーブルに代えて、正常時用のＬＵＴｇテーブルを上書きするようにＬＵＴデータＤｇをＲＡＭ＃２に設定する。更に、異常時用のＬＵＴｂ’テーブルに代えて、正常時用のＬＵＴｂテーブルを上書きするように、ＬＵＴデータＤｂをＲＡＭ＃３に設定する。この上書き処理は、有価物１が読み込まれた場合、その終了時に行われる。従って、正常読み込み動作の場合は、ステップＳＴ１で正常時用のＬＵＴｒ，ＬＵＴｇ，ＬＵＴｂテーブルが既にセットされているので、このステップを省略してもよい。
【００７９】
その後、ステップＳＴ７でスキャン制御部１５は、全原稿の読み込みを完了したか否かを判別する。この際の判別基準は、画像データ（Ｓｒ，Ｓｇ，Ｓｂ）のヘッダ情報に書き込まれたＥＯＦデータ等を検出し、このＥＯＦデータに基づいて全原稿の読み込みを識別する。
【００８０】
全原稿の読み込みを完了していない場合は、ステップＳＴ２に戻って、スキャン制御部１５は、ユーザによって、セットされた原稿の全ての読み込み処理を終了するまで、ステップＳＴ２〜ステップＳＴ６の処理を繰り返す。
【００８１】
このように第１の実施形態としての画像読取装置１０１及び画像読取方法によれば、スキャン制御部１５は、画像認識部１３の判定結果に対応して正常時用のＬＵＴｒ，ＬＵＴｇ，ＬＵＴｂテーブル又は異常時用のＬＵＴｒ’，ＬＵＴｇ’，ＬＵＴｂ’テーブルを信号変換部１２に設定する。これを前提にして、画像認識部１３が有価物１を読み込んでいると判別した時点で、ロー・レベルからハイ・レベルに立ち上がる有価物読取信号Ｓ１３に基づいて、スキャン制御部１５は、正常時用のＬＵＴｒテーブルを異常時用のＬＵＴｒ’テーブルに書き換えること、正常時用のＬＵＴｇテーブルを異常時用のＬＵＴｇ’テーブルに書き換えること、正常時用のＬＵＴｂテーブルを異常時用のＬＵＴｂ’テーブルに書き換えることができる。
【００８２】
このテーブルの書き換えによって、原稿が有価物１であると判定された時点から信号変換部１２の信号補正機能を各色毎の信号劣化機能に変更することができ、異常時用のＬＵＴｒ’テーブルに基づいて当該有価物１の画像の赤信号Ｓｒを赤信号Ｒｘに劣化させること、そのＬＵＴｇ’テーブルに基づいて当該有価物１の画像の緑信号Ｓｇを緑信号Ｇｘに劣化させること、そのＬＵＴｂ’テーブルに基づいて当該有価物１の画像の青信号Ｓｂを青信号Ｂｘに劣化させることができる。
【００８３】
しかも、有価物１が読み取られたとしても、当該劣化した赤信号Ｒｘ、緑信号Ｇｘ、青信号Ｂｘを利用したプリント出力時、原稿画像の原型は分かるが、真性有価物の色調と複製物の色調とを見比べると、全く色調が異なり、一目で、複製物と分かるように、容易に複製利用できない状態で、原稿の画像を読み込ませることができる。これにより、偽造有価物による犯罪を未然に防止できるようになる。
【００８４】
なお、上述した例では、原稿の１スキャン動作中、最初に有価物１であると判定された場合のみ、異常時用のＬＵＴｒ’，ＬＵＴｇ’，ＬＵＴｂ’テーブルが設定され、ステップＳＴ４で異常時用のＬＵＴｒ’，ＬＵＴｇ’，ＬＵＴｂ’テーブルを設定したまま、ステップＳＴ５からステップＳＴ３に戻る場合について説明したが、これに限られることはない。
【００８５】
例えば、異常時のＬＵＴｒ’，ＬＵＴｇ’，ＬＵＴｂ’テーブルから正常時のＬＵＴｒ，ＬＵＴｇ，ＬＵＴｂテーブルへ設定を戻した後に、ステップＳＴ５からステップＳＴ３に戻ってもよい。その際には、異常時用のＬＵＴｒ’，ＬＵＴｇ’，ＬＵＴｂ’テーブルに上書きしたメモリセルアレイ２４の異常値の部分のみを正常値の状態に戻す処理であってもよい。
【００８６】
このように原稿が、有価物１と判定されている期間中、繰り返し（例えば、１０ｍｓ程度で定期的に）異常値を設定することで、外部から再度、正常時用のＬＵＴｒ，ＬＵＴｇ，ＬＵＴｂテーブルに不正に戻すといった行為を防止できるようになる。
【００８７】
＜第２の実施形態＞
続いて、図６を参照して、第２の実施形態としての画像読取装置１０２の構成例について説明する。この実施形態では、異常時用のＬＵＴｒ’，ＬＵＴｇ’，ＬＵＴｂ’テーブルが別途準備され、正常時用のＬＵＴｒ，ＬＵＴｇ，ＬＵＴｂテーブルと、異常時用のＬＵＴｒ’，ＬＵＴｇ’，ＬＵＴｂ’テーブルとをスイッチ制御で切り替える場合を前提とする。
【００８８】
図６に示す画像読取装置１０２は、画像読取部１１、信号変換部１２’、画像認識部１３及びスキャン制御部２５を有して構成される。第１の実施形態と同じ符号のものは、同じ機能を有するので、その説明を省略する。
【００８９】
画像読取部１１には信号変換部１２’が接続される。信号変換部１２’は、３個の正常時ルックアップテーブル展開用のＲＡＭ＃１１，＃２１，＃３１、異常時ルックアップテーブル展開用のＲＡＭ＃１２，＃２２，＃３２及び３個のセレクタ２１〜２３を有している。
【００９０】
画像読取部１１には、６個のＲＡＭ＃１１，＃１２，＃２１，＃２２，＃３１，＃３２が接続される。ＲＡＭ＃１１には、正常時用のＬＵＴｒテーブルが構築され、Red信号が入力される。ＲＡＭ＃２１には、正常時用のＬＵＴｇテーブルが構築され、Green信号が入力される。ＲＡＭ＃３１には、正常時用のＬＵＴｂテーブルが構築され、Blue信号が入力される。
【００９１】
ＲＡＭ＃１２には、異常時用のＬＵＴｒ’テーブルが構築され、Red信号が入力される。ＲＡＭ＃２２には、異常時用のＬＵＴｇ’テーブルが構築され、Green信号が入力される。ＲＡＭ＃３２には、異常時用のＬＵＴｂ’テーブルが構築され、Blue信号が入力される。
【００９２】
ＲＡＭ＃１１，＃１２にはセレクタ２１が接続される。セレクタ２１は、テーブル選択信号Ｓ２５に基づいて正常時用のＬＵＴｒテーブル又は異常時用のＬＵＴｒ’テーブルのいずれか一方を選択する。この選択制御により、セレクタ２１から正常値の赤信号Ｓｒ又は異常値の赤信号Ｒｘを出力できるようになる。
【００９３】
ＲＡＭ＃２１，＃２２にはセレクタ２２が接続される。セレクタ２２は、テーブル選択信号Ｓ２５に基づいて正常時用のＬＵＴｇテーブル又は異常時用のＬＵＴｇ’テーブルのいずれか一方を選択する。この選択制御により、セレクタ２２から正常値の緑信号Ｓｇ又は異常値の緑信号Ｇｘを出力できるようになる。
【００９４】
ＲＡＭ＃３１，＃３２にはセレクタ２３が接続される。セレクタ２３は、テーブル選択信号Ｓ２５に基づいて正常時用のＬＵＴｂテーブル又は異常時用のＬＵＴｂ’テーブルのいずれか一方を選択する。この選択制御により、セレクタ２３から正常値の青信号Ｓｂ又は異常値の青信号Ｂｘを出力できるようになる。なお、セレクタ２１〜２３には図１に示したようなメモリ部２０が接続される。
【００９５】
画像読取部１１には画像認識部１３が接続される。画像認識部１３は画像読取部１１の読み取り動作と並行して、画像読取部１１から出力されるRed信号、Green信号及びBlue信号を入力し、画像読取部１１から読み取られた画像を解析し、読み取られている原稿の画像が有価物であるか否かを判定する。
【００９６】
画像認識部１３ではパターン認識等により、原稿の画像と有価物辞書データＤ１４に基づく画像とが比較され、両者の相関が採られ、両者の一致又は不一致を示す結果として、有価物読取信号Ｓ１３（エラー通知信号）を発生する。有価物読取信号Ｓ１３は、エラーを通知するためにスキャン制御部２５に出力される。
【００９７】
画像認識部１３にはスキャン制御部２５が接続される。スキャン制御部２５は、有価物読取信号Ｓ１３に基づいてテーブル選択信号Ｓ２５を生成する。例えば、スキャン制御部２５は、有価物読取信号Ｓ１３が有価物１を示す内容となる場合に、信号変換部１２’の各々の正常時用のＬＵＴｒ，ＬＵＴｇ，ＬＵＴｂテーブルを一斉に、異常時用のＬＵＴｒ’，ＬＵＴｇ’，ＬＵＴｂ’テーブルに切り替えるためのテーブル選択信号Ｓ２５を生成する。
【００９８】
有価物読取信号Ｓ１３が有価物１以外の原稿を示す内容となる場合は、信号変換部１２’の各々の正常時用のＬＵＴｒ，ＬＵＴｇ，ＬＵＴｂテーブルをそのまま選択し続ける内容のテーブル選択信号Ｓ２５を生成する。スキャン制御部２５は、セレクタ２１〜２３にテーブル選択信号Ｓ２５を出力して、原稿が有価物１であると判定された時点から、信号変換部１２’の各々の正常時用のＬＵＴｒ，ＬＵＴｇ，ＬＵＴｂテーブルを一斉に、異常時用のＬＵＴｒ’，ＬＵＴｇ’，ＬＵＴｂ’テーブルに切り替える。
【００９９】
このように第２の実施形態としての画像読取装置１０２によれば、原稿が有価物１であると判定された時点から、セレクタ２１〜２３に一斉にテーブル選択信号Ｓ２５を出力して、信号変換部１２’の各々の正常時用のＬＵＴｒ，ＬＵＴｇ，ＬＵＴｂテーブルを異常時用のＬＵＴｒ’，ＬＵＴｇ’，ＬＵＴｂ’テーブルに切り替えるスキャン制御部２５を備えるので、容易に複製利用できない状態の読取レベルの赤信号Ｒｘ，緑信号Ｇｘ，青信号Ｂｘを出力することができる。
【０１００】
＜第３の実施形態＞
続いて、図７を参照して、第３の実施形態としての画像読取装置１０３のγ補正テーブル構築用のＲＡＭ＃１３の構成例について説明する。この実施形態では、第１の実施形態で説明したＲＡＭ＃１に代えてＲＡＭ＃１３が設けられ、原稿が有価物１であると判定された時点から、ＬＵＴｒテーブルの入力値を書き換え、その出力値を劣化させる。他のＬＵＴｇ，ＬＵＴｂテーブルの入力値についても書き換えられ、各々の出力値を劣化させるようにした。
【０１０１】
図７に示す画像読取装置１０３はRed信号をγ補正するために、γ補正テーブル構築用のＲＡＭ＃１３及びスキャン制御部３５を有している。スキャン制御部３５は、原稿が有価物１であると判定された時点から、ＲＡＭ＃１３に構築された正常時用のＬＵＴｒテーブルにおいて、例えば、０〜１２７階調の輝度レベルの入力値を「０」に書き換えるようにアドレス変換部２６を制御する。他のGreen信号及びBlue信号のγ補正テーブル構築用のＲＡＭについは、各々異なる輝度レベルの入力値が書き換えられる。
【０１０２】
例えば、正常時用のＬＵＴｇテーブルにおいては、８６〜２１３階調の輝度レベルの入力値を「０」に書き換える。正常時用のＬＵＴｂテーブルにおいては、例えば、１２８〜２５５階調の輝度レベルの入力値を「０」に書き換える。なお、第１の実施形態で説明した同じ名称及び同じ符号のものは、同じ機能を有するので、その説明を省略する。
【０１０３】
ＲＡＭ＃１３は、アドレス入力部１７、ＬＵＴ設定部１８、データ出力部１９、メモリセルアレイ２４及びアドレス変換部２６（クリップデバイス）を有して構成される。アドレス変換部２６は、メモリセルアレイ２４とアドレス入力部１７との間に接続される。アドレス入力部１７には８ビットのRed信号が入力される。
【０１０４】
アドレス入力部１７にはアドレス変換部２６が接続される。アドレス変換部２６は、有価物読取時、アドレス制御信号Ｓ２６に基づいてRed信号の輝度レベル０〜１２７階調の入力値を例えば、「０」に書き換える。アドレス制御信号Ｓ２６はスキャン制御部３５からアドレス変換部２６に出力される。
【０１０５】
アドレス入力部１７に接続されたメモリセルアレイ２４にはＬＵＴ設定部１８を介してＬＵＴデータＤｒが設定される。メモリセルアレイ２４には、ＬＵＴデータＤｒに基づいて正常時用のＬＵＴｒテーブルが構築（展開）される。
【０１０６】
メモリセルアレイ２４は、データ出力部１９を介して、画像読取時、γ補正後の読取レベルの８ビットの赤信号Ｓｒ（正常値）を出力する。データ出力部１９は有価物読取時、アドレス変換部２６によって入力値が変更されたRed信号の輝度レベルに基づく、劣化後の読取レベルの８ビットの赤信号Ｒｘ（異常値）を出力する。なお、他のGreen信号及びBlue信号のγ補正テーブル構築用のＲＡＭについても同様に構成され同様に機能するので、その説明を省略する。
【０１０７】
このように第３の実施形態としての画像読取装置１０３によれば、γ補正テーブル構築用のＲＡＭ＃１３を備え、原稿が有価物１であると判定された時点から、正常時用のＬＵＴｒテーブルにおいて、Red信号の輝度レベル０〜１２７階調の入力値を「０」に書き換えられ、ＲＡＭ＃１３の機能として、あたかも、異常時用のＬＵＴｒ’テーブル（異常ＬＵＴ）を構築できるようになるので、容易に複製利用できない状態の読取レベルの赤信号Ｒｘを出力することができる。
【０１０８】
図示せずも、他のGreen信号及びBlue信号のγ補正テーブル構築用のＲＡＭについても、容易に複製利用できない状態の読取レベルの緑信号Ｇｘ、青信号Ｂｘを出力することができる。
【０１０９】
また、上述の実施形態では、輝度値をクリップするデバイスとしてのアドレス変換部２６を設ける場合について説明したが、これに限られることはなく、アドレス変換部２６に、Red信号の輝度レベルをオフセットさせるデバイスを設けてもよい。
【０１１０】
＜第４の実施形態＞
続いて、図８を参照して、第４の実施形態としての画像読取装置１０４のγ補正テーブル構築用のＲＡＭ＃１４の構成例について説明する。この実施形態では、第１の実施形態で説明したＲＡＭ＃１に代えてＲＡＭ＃１４が設けられ、原稿が有価物１であると判定された時点から、ＬＵＴｒテーブルの出力値を書き換え、その出力値を劣化させる。他のＬＵＴｇ，ＬＵＴｂテーブルの入力値についても書き換えられ、各々の出力値を劣化させるようにした。
【０１１１】
図８に示す画像読取装置１０４はRed信号をγ補正するために、γ補正テーブル構築用のＲＡＭ＃１４及びスキャン制御部４５を有している。スキャン制御部４５は、原稿が有価物１であると判定された時点から、ＲＡＭ＃１４に構築された正常時用のＬＵＴｒテーブルにおいて、例えば、０〜１２７階調の明度レベルの出力値を「０」に書き換えるようにデータ変換部２７を制御する。
【０１１２】
他のGreen信号及びBlue信号のγ補正テーブル構築用のＲＡＭについは、各々異なる輝度レベルの出力値が書き換えられる。例えば、正常時用のＬＵＴｇテーブルにおいては、８６〜２１３階調の明度レベルの出力値を「０」に書き換える。正常時用のＬＵＴｂテーブルにおいては、例えば、１２８〜２５５階調の明度レベルの出力値を「０」に書き換える。なお、第１の実施形態で説明した同じ名称及び同じ符号のものは、同じ機能を有するので、その説明を省略する。
【０１１３】
ＲＡＭ＃１４は、アドレス入力部１７、ＬＵＴ設定部１８、データ出力部１９、メモリセルアレイ２４及びデータ変換部２７（クリップデバイス）を有して構成される。データ変換部２７は、メモリセルアレイ２４とデータ出力部１９との間に接続される。アドレス入力部１７には８ビットのRed信号が入力される。
【０１１４】
アドレス入力部１７に接続されたメモリセルアレイ２４にはＬＵＴ設定部１８を介してＬＵＴデータＤｒが設定される。メモリセルアレイ２４には、ＬＵＴデータＤｒに基づいて正常時用のＬＵＴｒテーブルが構築（展開）される。
【０１１５】
メモリセルアレイ２４にはデータ変換部２７が接続される。データ変換部２７は、有価物読取時、データ制御信号Ｓ２７に基づいて赤信号Ｓｒの明度レベル０〜１２７の出力値を例えば、「０」に書き換える。データ制御信号Ｓ２７はスキャン制御部４５からデータ変換部２７に出力される。
【０１１６】
メモリセルアレイ２４は、データ変換部２７及びデータ出力部１９を介して、画像読取時、γ補正後の読取レベルの８ビットの赤信号Ｓｒ（正常値）を出力する。データ出力部１９は有価物読取時、データ変換部２７によって出力値が変更された赤信号Ｓｒの明度レベルに基づく、劣化後の読取レベルの８ビットの赤信号Ｒｘ（異常値）を出力する。なお、他のGreen信号及びBlue信号のγ補正テーブル構築用のＲＡＭについても同様に構成され同様に機能するので、その説明を省略する。
【０１１７】
このように第４の実施形態としての画像読取装置１０４によれば、γ補正テーブル構築用のＲＡＭ＃１４を備え、原稿が有価物１であると判定された時点から、正常時用のＬＵＴｒテーブルにおいて、赤信号Ｓｒの明度レベル０〜１２７階調の出力値を「０」に書き換えられ、ＲＡＭ＃１４の機能として、あたかも、異常時用のＬＵＴｒ’テーブル（異常ＬＵＴ）を構築できるようになるので、容易に複製利用できない状態の読取レベルの赤信号Ｒｘを出力することができる。
【０１１８】
図示せずも、他のGreen信号及びBlue信号のγ補正テーブル構築用のＲＡＭについても、容易に複製利用できない状態の読取レベルの緑信号Ｇｘ、青信号Ｂｘを出力することができる。上述の実施形態では、輝度値をクリップするデバイスとしてのデータ変換部２７を設ける場合について説明したが、これに限られることはなく、データ変換部２７に、赤信号Ｓｒの明度レベルをオフセットさせるデバイスを設けてもよい。
【０１１９】
＜第５の実施形態＞
続いて、図９を参照して、第５の実施形態としてのカラー複写機２００の構成例について説明する。図９に示すカラー複写機２００は画像形成装置の一例を構成し、スキャン装置１００を備える。カラー複写機２００は、当該スキャン装置１００から得られるディジタルの画像データ（Ｓｒ，Ｓｇ，Ｓｂ）に基づいて用紙にカラー画像を形成して出力する。カラー複写機２００は、操作表示部４８、制御装置５０、画像形成部６０、外部画像保存部７０、用紙供給部８０及びスキャン装置１００を有して構成される。スキャン装置１００や制御装置５０、各部等はバスにより接続されている。
【０１２０】
スキャン装置１００は画像読取手段の一例を構成し、原稿の画像を読み取って得られるRed信号、Green信号及びBlue信号の読取レベルを所定のγ補正テーブルに基づいて各々変換し、読取レベル変換後の赤信号Ｓｒ、緑信号Ｓｇ、青信号Ｓｂを出力する。スキャン装置１００には、本発明に係る画像読取装置１０１〜１０４のいずれかが使用され、スキャン装置１００はそれらから構成される（図１、図２参照）。
【０１２１】
スキャン装置１００には制御装置５０が接続される。制御装置５０は、メモリ部２０ｃ，２０ｍ，２０ｙ，２０ｋ、通信部２９、プリント制御部４０及び、色変換部４１を有して構成される。プリント制御部４０は、図示しないＣＰＵ（Central Processing Unit）、ＲＯＭ（Read Only Memory）、ＲＡＭ（Random Access Memory）等により構成される。
【０１２２】
プリント制御部４０には操作表示部４８が接続される。操作表示部４８は、タッチパネル及びＬＣＤ（Liquid Crystal Display）から構成され、プリント制御部４０から入力される表示信号の指示に従って表示画面上に各種操作ボタンや装置の状態表示、各機能の動作状況等の表示を行う。表示信号の指示は、例えば、制御データＤ４８を介して行われる。
【０１２３】
また、ＬＣＤの表示画面上は、透明電極を格子状に配置した感圧式（抵抗膜圧式）のタッチパネルが構成されている。タッチパネルは、手指やタッチペン等で押下された力点のＸＹ座標を電圧値で検出し、検出された位置信号を操作信号としてプリント制御部４０に出力する。
【０１２４】
なお、タッチパネルは、感圧式に限らず、他の静電式、光式等であってもよい。更に、操作表示部４８は、数字ボタン、スタートボタン等の各種操作ボタンを備え、ボタン操作による操作信号を制御装置５０に出力する。操作信号は制御データＤ４８に含まれる。
【０１２５】
プリント制御部４０は、操作表示部４８の操作により、ＲＯＭに記憶されているシステムプログラムや各種処理プログラムを読み出してＲＡＭ内に展開し、展開されたプログラムに従って、複写機各部の動作を集中制御する。また、ＣＰＵは、展開されたプログラムに従って、スキャン制御部１５と連携して画像形成処理を実行する。
【０１２６】
即ち、プリント制御部４０は、複写処理において、操作表示部４８からの指示に応じてスキャン装置１００に画像を読み取らせるとともに、画像認識部１３の判定に基づいてRed、Green、Blue信号の画像に対して読取レベル変換処理を施す。色変換部４１は、読取レベル変換後の赤信号Ｓｒ、緑信号Ｓｇ、青信号Ｓｂをシアン（Cyan）、マゼンタ（Magenta）、イエロー（Yellow）、黒（Black）の各色用の画像データＤｃ，Ｄｍ，Ｄｙ，Ｄｋに変換し、プリント制御部４０は、色変換後の画像データＤｃ，Ｄｍ，Ｄｙ，Ｄｋを、それぞれ制御装置５０内のデータ保存用の各メモリ部２０ｃ，２０ｍ，２０ｙ，２０ｋに格納する。
【０１２７】
制御装置５０には、画像形成部６０（画像形成手段）が接続される。画像形成部６０は、スキャン装置１００から出力される読取レベル変換後の赤信号Ｓｒ、緑信号Ｓｇ、青信号Ｓｂに基づいて原稿の画像を用紙Ｐに形成する。画像形成部６０は作像部６１及び定着部６２を備え、作像、転写、定着処理を実行する。
【０１２８】
制御装置５０には用紙供給部８０が接続され、用紙供給部８０はプリント制御部４０からの印刷指示信号Ｓ８０に従って、操作表示部４８から入力指示された、あるいは通信部２９により受信された印刷データに含まれる制御データＤ４８により指示されたサイズ、向きの用紙Ｐを作像部６１に搬送する。
【０１２９】
作像部６１は図示しない感光ドラムを有し、当該感光体ドラムの表面に、制御装置５０から入力された画像及び書き出し開始位置に基づいて静電潜像を形成し、感光ドラム表面の静電潜像を含む領域にトナー剤を付着する。感光ドラム表面に付着されたトナー剤は、トナー画像を構成する。作像部６１は、用紙供給部８０から搬送される用紙Ｐにトナー画像を転写する。そして、作像部６１において転写されたトナー画像は定着部６２によって熱定着される。熱定着後の用紙Ｐは、図示しない排出部から排紙される。
【０１３０】
外部画像保存部７０は、半導体装置等の不揮発性メモリ、ＨＤＤ等により構成され、通信部２９により外部の装置から受信された画像データＤ２９を保存したり、複写処理された画像データ（Ｓｒ，Ｓｇ，Ｓｂ）を保存したりする。
【０１３１】
通信部２９は、ＬＡＮ、ＷＡＮ等の通信ネットワークに接続された伝送媒体に接続可能なインターフェースである。通信部２９は、例えばＬＡＮカード等の通信制御カードにより構成され、ＬＡＮケーブル等の通信回線を介して通信ネットワークに接続された外部の装置との間で印刷用の画像データＤ２９を始めとする各種データの送受信を行う。
【０１３２】
続いて、図１０及び図１１を参照して、カラー複写機２００の動作例（その１、２）について説明する。この実施形態ではカラー複写機２００のスキャン装置１００に、第１の実施形態で説明した画像読取装置１０１が実装され、図５に示した画像読取条件に加えて、原稿の１ページを読み込む毎に、そのページの画像を用紙Ｐに形成して出力する場合を前提とする。ここでは、第１の実施形態と異なり、γ補正後の赤信号Ｓｒ、緑信号Ｓｇ、青信号Ｓｂを色変換処理し、これら色変換後の画像データＤｃ，Ｄｍ、Ｄｙ，Ｄｋを各メモリ部２０ｃ，２０ｍ，２０ｙ，２０ｋに記憶する場合を例に挙げる。
【０１３３】
これらを有価物１や、それ以外の原稿等の画像読取条件にして、図１０に示すステップＳＴ11でスキャン制御部１５は、ルックアップテーブルを初期化するために、信号変換部１２に正常時用の読み込みパラメータをセットする。このとき、スキャン制御部１５はＲＡＭ＃１にＬＵＴデータＤｒを設定してＬＵＴｒテーブルを構築（展開）し、ＲＡＭ＃２にＬＵＴデータＤｇを設定してＬＵＴｇテーブルを構築し、ＲＡＭ＃３にＬＵＴデータＤｂを設定してＬＵＴｂテーブルを構築する。
【０１３４】
ここで、ユーザが有価物１をスキャン装置１００にセットした場合を想定する。そして、ステップＳＴ12でスキャン制御部１５はスタート／クリアの指示を待機する。スタート／クリアの指示は、操作表示部４８を介して入力される。このとき、図示しないスタートボタンが押下されることにより、制御データＤ４８がスキャン制御部１５に出力され、複写開始が指示される。制御データＤ４８には複写開始を指示する操作データが含まれる。
【０１３５】
次に、ステップＳＴ13でスキャン制御部１５は、スキャン動作を開始するように画像読取部１１を制御する。このとき、画像読取部１１は、原稿セット位置に配置された有価物１の画像を読み取る。有価物１の画像を読み取って得られるRed信号、Green信号及びBlue信号は、ＡＤ変換後、画像読取部１１から信号変換部１２へ出力される。
【０１３６】
信号変換部１２では、画像読取部１１から出力される原稿画像のRed信号の輝度レベルが正常時用のＬＵＴｒテーブルに基づいてその明度レベルに変換され、そのGreen信号の輝度レベルが正常時用のＬＵＴｇテーブルに基づいてその明度レベルに変換され、そのBlue信号の輝度レベルが正常時用のＬＵＴｂテーブルに基づいてその明度レベルに変換される。読取レベル変換後のディジタルの画像データ（Ｓｒ，Ｓｇ，Ｓｂ）は、メモリ部２０に出力される。
【０１３７】
次に、ステップＳＴ14で、画像読取部１１の読込動作と並行して、スキャン制御部１５は、現在読み込んでいる原稿が有価物１であるか否かを判別するように画像認識部１３を制御する。このとき、画像認識部１３は、有価物辞書部１４から有価物辞書データＤ１４を読み出し、当該有価物辞書データＤ１４と画像読取部１１から入力したＡＤ変換後のRed信号、Green信号及びBlue信号を比較して、現在読み込んでいる原稿が有価物１であるか否かを判別する。その内容については、図５のステップＳＴ３を参照されたい。
【０１３８】
図４Ａに示した例によれば、画像認識部１３において、走査開始時点では、当該原稿が有価物１であるとする特徴量の未検出状態が続くために、有価物１以外の原稿を読み込んでいる場合と同様なロー・レベルの有価物読取信号Ｓ１３を発生する。メモリ部２０ｃ，２０ｍ，２０ｙ，２０ｋには、原稿が有価物１以外であると判断されている場合と同様にして、γ補正後の正常値の赤信号Ｓｒ、緑信号Ｓｇ、青信号Ｓｂが記憶される。
【０１３９】
しかし、図４Ｂに示すように走査が進むに従い、画像認識部１３が原稿のＡＤ変換後のRed信号、Green信号及びBlue信号と、有価物１を示す画像との一致を示す結果として、「原稿が有価物１である」とする特徴量を検出すると、ハイ・レベルの有価物読取信号Ｓ１３を発生する。有価物読取信号Ｓ１３は、エラーを通知するためにスキャン制御部１５に出力される。
【０１４０】
エラー通知を入力したスキャン制御部１５はステップＳＴ15で、異常時用のＬＵＴｒ’，ＬＵＴｇ’，ＬＵＴｂ’テーブルをセットする。このとき、スキャン制御部１５は、上述の原稿が有価物１であると判定された時点から、図３Ａに示したような正常時用のＬＵＴｒテーブルに代えて、異常時用のＬＵＴｒ’テーブルをＲＡＭ＃１に設定し、図３Ｂに示したような正常時用のＬＵＴｇテーブルに代えて、異常時用のＬＵＴｇテーブルをＲＡＭ＃２に設定し、図３Ｃに示したような正常時用のＬＵＴｂテーブルに代えて、異常時用のＬＵＴｂ’テーブルをＲＡＭ＃３に設定する。
【０１４１】
図３Ａに示したＬＵＴｒ’テーブルによれば、異常時、Red信号の入力値の０〜１２７階調に対して、その出力値（異常値）を全て「０」で読み出される。図３Ｂに示したＬＵＴｇ’テーブルでは、異常時、Green信号の入力値の８６〜２１３階調に対して、その出力値（異常値）を全て「０」で読み出される。図３Ｃに示したＬＵＴｂテーブルによれば、異常時、Blue信号の入力値の１２８階調以降に対して、その出力値（異常値）を全て「０」で読み出される。
【０１４２】
これにより、異常時用のＬＵＴｒ’テーブルに基づいて原稿の画像の赤信号Ｓｒを劣化後の赤信号Ｒｘに変更でき、異常時用のＬＵＴｇ’テーブルに基づいて原稿の画像の緑信号Ｓｇを劣化後の緑信号Ｇｘに変更でき、異常時用のＬＵＴｂ’テーブルに基づいて原稿の画像の青信号Ｓｂを劣化後の青信号Ｂｘに変更できるようになる。
【０１４３】
その後、ステップＳＴ16でスキャン制御部１５は、当該ページのスキャン動作を終了したか否かを判別する。当該ページのスキャン動作を終了していない場合は、ステップＳＴ14に戻る。当該ページのスキャン動作を終了した場合は、ステップＳＴ17に移行する。
【０１４４】
ステップＳＴ17でスキャン制御部１５は、ルックアップテーブルを初期化する。このとき、スキャン制御部１５は、異常時用のＬＵＴｒ’テーブルに代えて、正常時用のＬＵＴｒテーブルを上書きするように、ＬＵＴデータＤｒをＲＡＭ＃１に設定する。
【０１４５】
同様にして、異常時用のＬＵＴｇテーブルに代えて、正常時用のＬＵＴｇテーブルを上書きするようにＬＵＴデータＤｇをＲＡＭ＃２に設定する。更に、異常時用のＬＵＴｂ’テーブルに代えて、正常時用のＬＵＴｂテーブルを上書きするように、ＬＵＴデータＤｂをＲＡＭ＃３に設定する。
【０１４６】
そして、画像読取部１１による原稿の１ページの画像読み取りが終了すると、図１１に示すステップＳＴ18でプリント制御部４０は、正常値の画像データ（Ｓｒ，Ｓｇ，Ｓｂ）や、劣化後の異常値の赤信号Ｒｘ、緑信号Ｇｘ及び青信号Ｂｘを色変換するように色変換部４１を制御する。
【０１４７】
このとき、信号変換部１２によって、明度レベルに変換されたディジタルの赤信号Ｓｒ、緑信号Ｓｇ及び青信号Ｓｂに基づくカラー画像（正常値）は、シアン色（Cyan：以下Ｃ色という）、マゼンタ色（Magenta：以下Ｍ色という）、イエロー色（Yellow：以下Ｙ色という）に色変換され、Ｃ色用の画像データＤｃはメモリ部２０ｃに記憶される。Ｍ色用の画像データＤｍはメモリ部２０ｍに記憶され、Ｙ色用の画像データＤｙはメモリ部２０ｙに記憶される。白黒（ＢＫ色）の画像データＤｋは、メモリ部２０ｋに記憶される。
【０１４８】
図４Ｂに示した有価物１の複写例によれば、走査開始時点から、当該原稿が有価物１であるとする特徴量が検出されるまでは、γ補正後の正常値の赤信号Ｓｒ，緑信号Ｓｇ，青信号Ｓｂに基づく画像データＤｃ，Ｄｍ，Ｄｙ，Ｄｋがメモリ部２０に記憶される。つまり、メモリ部２０ｃ，２０ｍ，２０ｙ，２０ｋには、原稿が有価物１以外であると判断されていた部分の画像データＤｃ，Ｄｍ，Ｄｙ，Ｄｋに続いて、原稿が有価物１であると判定された時点からの、劣化後の異常値の青信号Ｂｘに基づく画像データＤｃがメモリ部２０ｃに記憶され、その異常値の赤信号Ｒｘ及び青信号Ｂｘに基づく画像データＤｍがメモリ部２０ｍに記憶され、その異常値の緑信号Ｇｘ及び青信号Ｂｘに基づく画像データＤｙがメモリ部２０ｙに記憶される。
【０１４９】
各メモリ部２０ｃ〜２０ｋに各色の画像データＤｃ，Ｄｍ，Ｄｙ，Ｄｋが記憶されると、ステップＳＴ19で画像形成部６０は画像データＤｃ，Ｄｍ，Ｄｙ，Ｄｋに基づいて画像形成処理を実行する。このとき、作像部６１は、メモリ部２０ｋ，２０ｋ，２０ｋ，２０ｋから読み出した画像データＤｃ，Ｄｍ，Ｄｙ，Ｄｋと、制御装置５０から入力された書き出し制御信号（図示せず）に基づいて、感光体ドラム表面に、静電潜像を形成し、感光ドラム表面の静電潜像を含む領域にトナー剤を付着する。感光ドラム表面に形成されたトナー画像は、作像部６１が、用紙供給部８０から搬送される用紙Ｐに転写する。
【０１５０】
その後、ステップＳＴ20でプリント制御部４０は定着処理を実行する。このとき、定着部６２は、プリント制御部４０の制御を受けて、作像部６１により用紙Ｐに転写されたトナー画像を熱定着処理する。そして、ステップＳＴ21でプリント制御部４０は排紙処理を実行する。このとき、熱定着後の用紙Ｐは図示しない排出部から排紙される。
【０１５１】
その後、ステップＳＴ22でプリント制御部４０は、全原稿の読み込み及び画像形成処理を完了したか否かを判別する。この際の判別基準は、画像データ（Ｓｒ，Ｓｇ，Ｓｂ）のヘッダ情報に書き込まれたＥＯＦデータ等を検出し、このＥＯＦデータに基づいて全原稿の読み込みを識別する。全原稿の読み込みを完了していない場合は、ステップＳＴ13に戻って、スキャン制御部１５及びプリント制御部４０は、ユーザによって、セットされた原稿の全ての読み込み処理及びその画像形成処理を終了するまで、ステップＳＴ13〜ステップＳＴ21の処理を繰り返す。
【０１５２】
このように第５の実施形態としてのカラー複写機２００によれば、本発明に係る画像読取装置１０１〜１０４のいずれかが備えられるので、有価物１であると判定された時点から信号補正機能を各色毎の信号劣化機能に変更することができ、異常時用のγ補正テーブルに基づいて当該原稿の画像の複数の色信号を劣化させることができる。
【０１５３】
図４Ｂに示す有価物１の複写例によれば、有価物１以外と判断されている部分は、γ補正後の正常値の赤信号Ｓｒ，緑信号Ｓｇ，青信号Ｓｂが読み出され、星形の赤色形成部分Ｇ１、緑色形成部分Ｇ２、青色形成部分Ｇ３及び白抜き形成部分Ｇ４の上部は正常値により色再現される。この結果、星形の赤色形成部分Ｇ１、緑色形成部分Ｇ２、青色形成部分Ｇ３及び白抜き形成部分Ｇ４の上部は正常に色再現される。
【０１５４】
しかし、星形の赤色形成部分Ｇ１、緑色形成部分Ｇ２、青色形成部分Ｇ３及び白抜き形成部分Ｇ４の下部と、丸形の青色形成部分Ｇ５、四角形の紫色形成部分Ｇ６、三角形の緑色形成部分Ｇ７及び丸形の赤色形成部分Ｇ８と、その背景部分は、劣化後の異常値を示す赤信号Ｒｘ，緑信号Ｇｘ，青信号Ｂｘが読み出される。この結果、図４Ａに示した有価物１とは全く色調の異なる星形の赤色形成部分Ｇ１、緑色形成部分Ｇ２、青色形成部分Ｇ３及び白抜き形成部分Ｇ４の下部と、丸形の青色形成部分Ｇ５、四角形の紫色形成部分Ｇ６、三角形の緑色形成部分Ｇ７及び丸形の赤色形成部分Ｇ８を含んで色再現される。
【０１５５】
このように、有価物１が読み取られたとしても、容易に複製利用できない状態の劣化した異常値の画像データＤｃ，Ｄｍ，Ｄｙ，Ｄｋに基づくプリントを出力できるので、原稿画像の原型は分かるが、真性の有価物１の色調と複製物の色調とを見比べると、全く色調が異なり、一目で、複製物と分かるようになる。これにより、偽造有価物による犯罪を未然に防止できるようになる。
【０１５６】
なお、第５の実施形態における記述内容は、本発明のカラー複写機２００の好適な一例であり、これに限定されるものではない。例えば、第５の実施形態においては、電子写真方式によるカラー複写機２００について説明したが、これに限定されず、例えば、インクジェット方式等であってもよい。その他、カラー複写機２００の細部構成及び細部動作に関しても、本発明の趣旨を逸脱することのない範囲で適宜変更可能である。
【産業上の利用可能性】
【０１５７】
この発明は、原稿の画像を読み取ってガンマ補正処理後のカラー画像再生用の画像信号を出力するスキャン装置を備えたカラー用の複写機や、複合機等に適用して極めて好適なものである。
【符号の説明】
【０１５８】
＃１〜＃３，＃１１〜＃１４，＃２１，＃２２，＃３１，＃３２  ＲＡＭ
１１  画像読取部
１２  信号変換部
１３  画像認識部
１４  有価物辞書部
１５，２５，３５，４５  スキャン制御部
１６  ＬＵＴ格納部
１７  アドレス入力部
１８  ＬＵＴ設定部
１９  データ出力部
２０，２０ｃ，２０ｍ，２０ｙ，２０ｋ  メモリ部
２１〜２３  セレクタ
２４  メモリセルアレイ
２６  アドレス変換部
２７  データ変換部
２９  通信部
４０  プリント制御部
４１  色変換部
４８  操作表示部
５０  制御装置
６０  画像形成部
６１  作像部
６２  定着部
７０  外部画像保存部
８０  用紙供給部
【図１】
2011199650.tif 000003
【図２】
2011199650.tif 000004
【図３】
2011199650.tif 000005
【図４】
2011199650.tif 000006
【図５】
2011199650.tif 000007
【図６】
2011199650.tif 000008
【図７】
2011199650.tif 000009
【図８】
2011199650.tif 000010
【図９】
2011199650.tif 000011
【図１０】
2011199650.tif 000012
【図１１】
2011199650.tif 000013